(57)【要約】【課題】マトリクス装置を利用して信号を切り替える装置において冗長構成の信頼性をより向上させる技術を提供する。【解決手段】  現用系と予備系をなす複数の処理装置は、複数の処理部と、マトリクス装置とを備えている。マトリクス装置は、入力端子と出力端子を自在に選択して接続することができ、複数の入力端子に複数の処理部の出力がそれぞれ接続され、複数の出力端子が複数の処理部の入力のそれぞれに接続され、他の出力端子が本線出力に接続されている。切替装置は、複数の処理装置からの信号を入力とし、現用系の処理装置からの信号を選択して出力する。現用系の処理装置に異常が発生したとき、現用系の処理装置にて、マトリクス装置の接続を切り替えることにより、本線出力に信号を出力する処理部を切り替えるか、あるいは、切替装置にて、現用系の処理装置からの信号に代えて予備系の処理装置からの信号を選択するように切り替える。【選択図】図１
2009177582.tif 000002
【特許請求の範囲】
【請求項１】
複数の処理部と、入力端子と出力端子を自在に選択して接続することができ、複数の入力端子に前記複数の処理部の出力がそれぞれ接続され、複数の出力端子が前記複数の処理部の入力のそれぞれに接続され、他の出力端子が本線出力に接続されたマトリクス装置とを備えた、現用系と予備系をなす複数の処理装置と、
前記複数の処理装置からの信号を入力とし、現用系の処理装置からの信号を選択して出力する切替装置と、を有し、
前記現用系の処理装置に異常が発生したとき、前記現用系の処理装置にて、前記マトリクス装置の接続を切り替えることにより、前記本線出力に信号を出力する処理部を切り替えるか、あるいは、前記切替装置にて、前記現用系の処理装置からの信号に代えて予備系の処理装置からの信号を選択するように切り替える、切替制御システム。
【請求項２】
前記現用系の処理装置によって処理を継続できるときは、前記現用系の処理装置にて、前記マトリクス装置の接続を切り替えることにより、前記本線出力に信号を出力する処理部を切り替え、
前記現用系の処理装置によって処理を継続できないときは、前記切替装置にて、前記予備系の処理装置からの信号を選択するように切り替える、請求項１に記載の切替制御システム。
【請求項３】
前記現用系の処理装置と前記予備系の処理装置の出力信号が互いに相手のマトリクス装置の入力端子に入力されており、前記現用系の処理装置は、異常が発生したとき、前記マトリクス装置の接続を切り替えて、前記予備系の処理装置から入力した信号を前記本線出力に出力する、請求項１または２に記載の切替制御システム。
【請求項４】
前記現用系の処理装置に異常が発生し、前記現用系の処理装置にて、前記本線出力に信号を出力する処理部を切り替えようとするとき、
前記現用の処理装置は、一旦、前記マトリクス装置の接続を切り替えて、前記予備系の処理装置から入力した信号を前記本線出力に出力することにより、前記本線出力を正常に維持した状態で、処理部間で制御を移行させ、その後、前記マトリクス装置の接続を切り替えなおして、前記本線出力に信号を出力する処理部を切り替える、請求項３に記載の切替制御システム。
【請求項５】
前記処理部が複数の映像信号を合成する映像合成部である、請求項１から４のいずれか１項に記載の切替制御システム。
【請求項６】
前記現用系の処理装置に異常が発生したとき、前記現用系の処理装置にて、前記マトリクス装置の接続を切り替えることにより、前記本線出力に信号を出力する処理部を切り替えるか、あるいは、前記切替装置にて、前記現用系の処理装置からの信号に代えて予備系の処理装置からの信号を選択するように切り替えるかの判定が手動または自動で指定される、請求項１に記載の切替制御システム。
【請求項７】
現用系と予備系をなす複数の処理装置において、複数の処理部と、入力端子と出力端子を自在に選択して接続することができるマトリクス装置とを、前記マトリクス装置の複数の入力端子に前記複数の処理部の出力がそれぞれ接続され、複数の出力端子が前記複数の処理部の入力のそれぞれに接続され、他の出力端子が本線出力に接続されるように接続し、
前記現用系の処理装置に異常が発生したとき、前記本線出力に信号を出力する処理部を切り替えるか、もしくは前記現用系の処理装置からの信号に代えて予備系の処理装置からの信号を出力するように切り替えるか、を判断する判断ステップと、
前記判断に基づいて、前記マトリクス装置の接続を切り替える切替ステップと、
を有することを特徴とする、切替制御方法。
【請求項８】
前記判断ステップは、前記現用系の処理装置によって処理を継続できるときは、前記本線出力に信号を出力する処理部を切り替え、前記現用系の処理装置によって処理を継続できないときは、前記予備系の処理装置からの信号を出力するように処理装置を切り替える、と判断するものであることを特徴とする、請求項７に記載の切替制御方法。
【請求項９】
前記現用系の処理装置と前記予備系の処理装置の出力信号を互いに相手のマトリクス装置の入力端子に入力しておき、
前記現用系の処理装置に異常が発生したとき、前記現用系のマトリクス装置の接続を、前記予備系の処理装置から入力した信号を前記本線出力に出力するように切り替える、請求項７または８に記載の切替制御方法。
【請求項１０】
前記現用系の処理装置に異常が発生し、前記現用系の処理装置にて、前記本線出力に信号を出力する処理部を切り替えようとするとき、
前記切替ステップは、
前記現用系のマトリクス装置の接続を、前記予備系の処理装置から入力した信号を前記本線出力に出力するように切り替えるステップと、
前記本線出力を正常に維持した状態で、前記現用系の処理部間で制御を移行するステップと、
前記マトリクス装置の接続を、前記本線出力に信号を出力する処理部を切り替えるステップと、
を含むことを特徴とする、請求項９に記載の切替制御方法。
【請求項１１】
前記処理部が複数の映像信号を合成する映像合成部である、請求項７から１０のいずれか１項に記載の切替制御方法。
【請求項１２】
複数の処理部と、
入力端子と出力端子を自在に選択して接続することができ、複数の入力端子に前記複数の処理部の出力がそれぞれ接続され、複数の出力端子が前記複数の処理部の入力のそれぞれに接続され、他の出力端子が本線出力に接続されたマトリクス装置と、
異常が発生したとき、前記マトリクス装置の接続を切り替えることにより、前記本線出力に信号を出力する処理部を切り替える制御手段と、を有する処理装置。
【請求項１３】
冗長構成の現用系あるいは予備系のいずれかをなし、他系の処理装置の出力信号が前記マトリクス装置の入力端子に入力されており、
前記制御手段は、自処理装置が現用系のとき、異常が発生すると、前記マトリクス装置の接続を切り替えて、前記他系の処理装置から入力した信号を前記本線出力に出力する、請求項１２に記載の処理装置。
【請求項１４】
前記制御手段は、前記現用系の処理装置に異常が発生し、前記本線出力に信号を出力する処理部を切り替えようとするとき、
一旦、前記マトリクス装置の接続を切り替えて、前記予備系の処理装置から入力した信号を前記本線出力に出力することにより、前記本線出力を正常に維持した状態で、処理部間で制御を移行させ、その後、前記マトリクス装置の接続を切り替えなおして、前記本線出力に信号を出力する処理部を切り替える、請求項１３に記載の処理装置。
【請求項１５】
前記処理部が複数の映像信号を合成する映像合成部である、請求項１２または１４のいずれか１項に記載の処理装置。
【発明の詳細な説明】
【技術分野】
【０００１】
本発明は、複数の入力端子と複数の出力端子の間の接続を切り替えるマトリクス装置を利用した装置に関し、特に、その信頼性を向上する技術に関する。
【背景技術】
【０００２】
テレビ局のスタジオ等ではモニターや送信機への映像信号の供給に、複数の入力映像信号の中から選択した映像信号を出力するマトリクス装置が用いられる（特許文献１参照）。例えば、複数の画像を合成する画像合成部と、マトリクス装置とを備え、画像合成部へ入力する画像をマトリクス装置によって切り替えるシステムが用いられる。この種のシステムを、以下「映像マスタースイッチャー制御システム」という。
【０００３】
また、放送を中断することが無いように、テレビ局用の装置には高い信頼性が要求されるため、映像マスタースイッチャー制御システムには冗長構成を備えたものがある。
【０００４】
図６は、映像マスタースイッチャー制御システムの一例を示すブロック図である。図６を参照すると、映像マスタースイッチャー制御システムは、現用系および予備系の２つの合成装置９１，９２と、現用予備の切り替えを行う切替装置９３とを有している。合成装置９１，９２はそれぞれ、制御回路９４、マトリクス（ＭＴＸ）装置９５、２つの画像合成部９６，９７、および外部制御装置９８を有している。
【０００５】
映像マスタースイッチャー制御システムには外部制御装置９８から切り替え制御あるいは画像合成のための電文が入力される。外部制御装置９８からの電文を制御回路９４が処理し、電文の指示に従ってＭＴＸ装置９５あるいは画像合成部９６，９７を制御する。
【０００６】
ＭＴＸ装置９５は、複数の入力端子と複数の出力端子とを有している。ＭＴＸ装置９５は、制御回路９４からの制御に従って、入力端子と出力端子を接続するクロスポイントを切り替えることにより、入力した映像信号を所望の出力端子から出力する。
【０００７】
図６の例では、ＭＴＸ装置９５は、画像合成部９６にて合成すべき複数の映像信号を画像合成部９６に入力している。また、ＭＴＸ装置９５は、画像合成部９７にて合成すべき複数の映像信号を画像合成部９７に入力している。
【０００８】
画像合成部９６，９７は、入力された複数の映像信号を合成し、得られた映像信号を出力する。図６の例では、現用系と予備系の双方の合成装置９１および９２の画像合成部９６からの出力（出力１）が切替装置９３に入力されている。
【０００９】
切替装置９３は、合成装置９１からの本線出力ＯＵＴ１と合成装置９２からの本線出力ＯＵＴ２の中から現用系の本線出力を選択し、それをシステムの出力ＯＵＴとして出力する。図６の例では、現用系の合成装置９１からの映像信号（ＯＵＴ１）が本線出力ＯＵＴとして選択されている。
【００１０】
例えば、現用系の画像合成部９６に異常が発生すると、現用系本線出力ＯＵＴ１の映像に不具合が起きる。そのようなとき、切替装置９３は現用系と予備系の切り替えを行うことで異常を回避する。その後で合成装置９１の異常部分を修復すればよい。
【特許文献１】特開平１１−２８４９０７号公報
【発明の開示】
【発明が解決しようとする課題】
【００１１】
上述した構成の映像マスタースイッチャー制御システムは、現用系の合成装置９１に何らかの異常が発生すると、予備系の合成装置９２に切り替えるしかなかった。そのため、現用系と予備系の複合障害を考慮し、更に信頼性を向上させることが求められていた。
【００１２】
本発明の目的は、マトリクス装置を利用して信号を切り替える装置において、冗長構成の信頼性をより向上させる技術を提供することである。
【課題を解決するための手段】
【００１３】
上記目的を達成するために、本発明の切替制御システムは、
複数の処理部と、入力端子と出力端子を自在に選択して接続することができ、複数の入力端子に前記複数の処理部の出力がそれぞれ接続され、複数の出力端子が前記複数の処理部の入力のそれぞれに接続され、他の出力端子が本線出力に接続されたマトリクス装置とを備えた、現用系と予備系をなす複数の処理装置と、
前記複数の処理装置からの信号を入力とし、現用系の処理装置からの信号を選択して出力する切替装置と、を有し、
前記現用系の処理装置に異常が発生したとき、前記現用系の処理装置にて、前記マトリクス装置の接続を切り替えることにより、前記本線出力に信号を出力する処理部を切り替えるか、あるいは、前記切替装置にて、前記現用系の処理装置からの信号に代えて予備系の処理装置からの信号を選択するように切り替えるシステムである。
【００１４】
本発明の切替制御方法は、
現用系と予備系をなす複数の処理装置において、複数の処理部と、入力端子と出力端子を自在に選択して接続することができるマトリクス装置とを、前記マトリクス装置の複数の入力端子に前記複数の処理部の出力がそれぞれ接続され、複数の出力端子が前記複数の処理部の入力のそれぞれに接続され、他の出力端子が本線出力に接続されるように接続し、
前記現用系の処理装置に異常が発生したとき、前記本線出力に信号を出力する処理部を切り替えるか、もしくは前記現用系の処理装置からの信号に代えて予備系の処理装置からの信号を出力するように切り替えるか、を判断する判断ステップと、
前記判断に基づいて、前記マトリクス装置の接続を切り替える切替ステップと、
を有している。
【００１５】
本発明の処理装置は、
複数の処理部と、
入力端子と出力端子を自在に選択して接続することができ、複数の入力端子に前記複数の処理部の出力がそれぞれ接続され、複数の出力端子が前記複数の処理部の入力のそれぞれに接続され、他の出力端子が本線出力に接続されたマトリクス装置と、
異常が発生したとき、前記マトリクス装置の接続を切り替えることにより、前記本線出力に信号を出力する処理部を切り替える制御手段と、を有している。
【発明の効果】
【００１６】
本発明によれば、各処理装置に複数の処理部を備え、各処理部の出力をマトリクス装置に接続し、マトリクス装置から処理装置としての本線出力を出力する構成である。それ故、現用系の処理装置に異常が発生したとき、現用系の処理装置にて、マトリクス装置の接続を切り替えることにより、本線出力に信号を出力する処理部を切り替えてもよいし、現用系の処理装置からの信号に代えて予備系の処理装置からの信号を選択するように切り替えてもよい。処理装置の切り替えと処理装置内での処理部の切り替えとを冗長構成に併用するので、冗長構成の信頼度を向上させることができる。
【発明を実施するための最良の形態】
【００１７】
本発明を実施するための形態について図面を参照して詳細に説明する。
【００１８】
図１は、本実施形態の切替制御システムの構成を示すブロック図である。図１を参照すると、本実施形態の切替制御システムは、処理装置１１，１２および切替装置１３を有している。処理装置１１と処理装置１２は同じ構成であり、冗長構成の現用系と予備系とをなしている。現用系と予備系は互いに切り替わるが、図１の状態では処理装置１１が現用系であり、処理装置１２が予備系である。２つの処理装置１１，１２を制御する制御装置１８は切替制御システムの一部としてもよく、あるいは外部から切替制御システムを制御する装置としてもよい。
【００１９】
処理装置１１，１２は、それぞれ、制御回路１４、マトリクス（ＭＴＸ）装置１５、および処理部１６，１７を有している。
【００２０】
切替制御システムには外部制御装置１８から切り替え制御のための電文が入力される。制御回路１４は外部制御装置１８からの電文を処理し、電文の指示に従ってＭＴＸ装置１５を制御する。また、制御回路１４は、処理装置１１，１２の処理部１６，１７の状態を監視しており、その監視結果に応じてＭＴＸ装置１５を制御する。
【００２１】
ＭＴＸ装置１５は、複数の入力端子と複数の出力端子とを有している。ＭＴＸ装置１５は、制御回路１４からの制御に従って、入力端子と出力端子を接続するクロスポイントを切り替えることにより、入力した信号を所望の出力端子から出力する。図中で、ＭＴＸ装置内の×（バツ印）は入力線と出力線が接続されたクロスポイントを示している。
【００２２】
ＭＴＸ装置１５の入力端子に入力される信号には、システムの外部からの入力信号の他に、同じ処理装置内の処理部１６，１７からの出力と、他系の処理装置からの出力とがある。また、ＭＴＸ装置１５の出力端子からの信号は、処理部１６，１７に入力されるものの他に、自系の本線出力ＯＵＴ１として切替装置１３に入力されるものと、他系の処理装置に入力されるものとがある。
【００２３】
処理部１６，１７は、ＭＴＸ装置１５から入力した信号を処理して出力する。処理部１６，１７の出力はＭＴＸ装置１５に戻される。処理部１６，１７は、入力した信号に対して何らかの処理を行うものであればよい。例えば、本切替制御システムが映像マスタースイッチャー制御システムであり、処理部１６，１７が複数の映像信号を合成し、得られた映像信号を出力する映像合成部であってもよい。
【００２４】
切替装置１３は、処理装置１１からの本線出力ＯＵＴ１と処理装置１２から本線出力ＯＵＴ２の中から現用系を選択し、それをシステムの出力ＯＵＴとして出力する。図１の例では、現用系の処理装置１１からの本線出力ＯＵＴ１が本線出力ＯＵＴとして選択されている。例えば、現用系の処理装置に処理を継続できなくなるような異常が起こると、切替装置１３は予備系に切り替える。例えば、処理装置内で処理部１６，１７を切り替えても異常を回避できなければ、本線出力の信号に異常が生じる。切替装置１３は現用系の本線出力の信号に異常が生じたら切り替えを行うことにすればよい。使用者は、その後で異常が起きた処理装置を修復すればよい。
【００２５】
処理装置１１，１２のそれぞれには、２つの処理部１６，１７があり、それらの出力がＭＴＸ装置１５に入力されている。図１の例では、処理部１６の出力（出力１）が、ＭＴＸ装置１５の入力（出力１入力）にリエントリ接続されている。また、処理部１７の出力（出力２）が、ＭＴＸ装置１５の入力（出力２入力）にリエントリ接続されている。処理装置１１，１２としての出力（本線出力）は、ＭＴＸ装置１５から出力されている。そのため、処理装置１１，１２内の２つの処理部１６，１７を冗長構成に用いることができる。
【００２６】
例えば、制御回路１４は、処理部１６と処理部１７に同じ信号を入力し、ＭＴＸ装置１５を、処理部１６の出力が本線出力に接続される状態にしておく。その状態で、制御回路１４は、処理部１６の異常を検出すると、処理部１７の出力を本線出力に接続するようにＭＴＸ装置１５の接続を切り替える。それにより、処理装置１１，１２の現用系と予備系を切り替えることなく、１つの処理装置で処理を継続することができる。
【００２７】
現用系の処理装置に、その処理装置だけでは処理を継続できないような異常が起きたときには、切替装置１３が現用系と予備系を切り替えることにより、処理を継続させる。１つの処理装置だけでは処理を継続できない異常とは、例えば制御回路１４の障害、ＭＴＸ装置１５の障害、処理部１６と処理部１７の重複障害である。
【００２８】
また、図１の例では、処理装置１１と処理装置１２は出力が互いに相手のＭＴＸ装置１５に入力している。そのため、現用系の処理装置の制御回路１４が他系からの入力を自系の本線出力とすることもできる。現用系の処理装置だけでは処理を継続できないがその制御回路１４とＭＴＸ装置１５は正常である場合、制御回路１４が他系からの入力を本線出力として出力するようにＭＴＸ装置１５の接続を切り替えることにより、他系の処理部を利用して処理を継続させることができる。
【００２９】
次に、異常発生時の切替制御システムの動作例について説明する。
【００３０】
図２は、本実施形態の切替制御システムの動作例を示すフローチャートである。図２に示す切替制御システムの動作は主に制御回路１４により制御される。
【００３１】
図１等のブロック図において、ＭＴＸ装置１５内の×（バツ印）は入力線と出力線が接続されたクロスポイントを示している。図１にはクロスポイントの正常時の接続状態が示されている。また、図３は、正常時の出力信号の経路を示す図である。図３には、正常時の出力信号の経路が太い線で示されている。
【００３２】
正常な状態では、処理部１１からの出力１の信号は、ＭＴＸ装置１５の出力１入力にリエントリ入力され、クロスポイント７１を経由して現用系の本線出力ＯＵＴ１として出力されている。
【００３３】
また図１に示されているように、もう一方の処理部１７にも処理部１６と同じ信号が入力されている。処理部１７からの出力２の信号はＭＴＸ装置１５の出力２入力にリエントリ入力されている。また、予備系の処理装置１２の処理部１６からの出力１の信号が、現用系の処理装置１１のＭＴＸ装置１５の他系入力にリエントリ入力されている。
【００３４】
図２を参照すると、制御回路１４は、処理部１６の出力信号に異常が起こったことを検知すると（ステップ１０１）、異常の内容を確認する（ステップ１０２）。
【００３５】
切替制御システムへの入力信号の異常であれば、処理装置１６内で異常を回避することができないので、アラームを出力し（ステップ１０３）、処理を終了する。また、このとき切替装置１３が予備系の処理装置１２に切り替えることにしてもよい。現用系の処理装置１１への入力信号は異常でも予備系の処理装置１２への入力信号が正常であれば、これによって異常を回復することができる。
【００３６】
処理部１６の異常であれば、制御回路１４は、次に、他方の処理部１７に切り替えるか、予備系の出力に切り替えるか判定する（ステップ１０４）。例えば、他方の処理部１７が既に異常となっていれば、制御回路１４は予備系への切り替えを決定する。どちらへの切り替えも可能な状態では、どちらに切り替えることに決定してもよい。
【００３７】
このとき制御回路１４は、予め定められた優先順位に従って切り替え先を自動的に選択してもよい。例えば、処理装置内での処理部の切り替えによって異常を回避することができる場合には、まず処理装置内での処理部の切り替えで対処し、さらに異常が発生したときに処理装置の切り替えを実行することにしてもよい。一方、処理装置内での処理部の切り替えによって異常を回避できない場合には処理装置の切り替えを実行することにしてもよい。また、制御回路１４は手動によって指定された切り替え先に切り替えることにしてもよい。
【００３８】
他の処理部１７に切り替えることを決定すると、制御回路１４は、処理部１６への制御を処理部１７に移行する（ステップ１０５）。その際、制御回路１４は、一旦、予備系の処理装置１２からの入力の本線出力ＯＵＴ１に出力するようにＭＴＸ装置１５を切り替えておき、その間に処理部１６から処理部１７に制御を移行することにしてもよい。これにより処理部１６から処理部１７への移行の間にも正常な本線出力を維持することができる。
【００３９】
移行が終わると、制御回路１４は、処理部１７からの出力２の信号が本線出力ＯＵＴ１として出力されるように、ＭＴＸ装置１５のクロスポイントの接続を切り替えて（ステップ１０６）、処理を終了する。
【００４０】
図４は、他方の処理部１７に切り替えられたときの出力信号の経路を示す図である。出力信号の経路が太い線で示されている。図４を参照すると、クロスポイント２２の接続により、処理部１７の出力２からＭＴＸ装置１５に入力された信号が、クロスポイント２２を経由して本線出力ＯＵＴ１として出力されている。
【００４１】
ステップ１０２の判定にてＭＴＸ装置１５の異常であれば、あるいはステップ１０４にて予備系に切り替えることを決定すると、制御回路１４は、他系入力からの信号が本線出力ＯＵＴ１に出力されるように、ＭＴＸ装置１５のクロスポイントの接続を切り替える（ステップ１０７）。
【００４２】
図５は、予備系の処理装置１２に切り替えられたときの出力信号の経路を示す図である。出力信号の経路が太い線で示されている。図５を参照すると、クロスポイント２３の接続により、他系の処理装置１２からＭＴＸ装置１５に入力された信号が、クロスポイント２３を経由して本線出力ＯＵＴ１として出力されている。
【００４３】
以上説明したように、本実施形態では、現用系と予備系の各処理装置１１，１２に複数の処理部１６，１７を備え、各処理部１６，１７の出力をＭＴＸ装置１５に接続し、ＭＴＸ装置１５から処理装置１１，１２としての本線出力を出力する構成である。それ故、現用系の処理装置に異常が発生したとき、現用系の処理装置にて、ＭＴＸ装置１５の接続を切り替えることにより、本線出力に信号を出力する処理部を切り替えてもよいし、切替装置１３にて、現用系の処理装置からの信号に代えて予備系の処理装置からの信号を選択するように切り替えてもよい。このように本実施形態によれば、処理装置１１，１２の切り替えと処理装置１１，１２内での処理部１６，１７の切り替えとを冗長構成に併用するので、冗長構成の信頼度を向上させることができる。
【００４４】
例えば、異常内容によっては、処理装置自体を予備系に切り替えることなく、現用系の処理装置内で処理部を切り替えることによって、異常を回避することができる。現用系の処理装置に異常が起きたとき、既に予備系の処理装置に異常があっても現用系の処理装置内での処理部の切り替えによって異常を回避できる。
【００４５】
また、本実施形態によれば、現用系の処理装置と予備系の処理装置が出力信号を互いに相手に入力し、それぞれがその入力を本線出力として出力することができる構成となっているので、切替装置１３が現用系と予備系の本線出力を切り替える以外に、現用系の処理装置が他系から入力した信号を本線出力に出力することによっても、現用系から予備系へ処理を切り替えることができる。切り替え方法を２つ備えることによって冗長構成の信頼性がより向上する。
【００４６】
なお、上述した本実施形態では、各処理装置１１，１２に２つの処理部１６，１７が備えられた構成を例示したが、本発明はこれに限定されるものではない。各処理装置１１，１２に３つ以上の処理部を備えれば、処理装置１１，１２で異常が回避できる可能性が高まる。
【図面の簡単な説明】
【００４７】
【図１】本実施形態の切替制御システムの構成を示すブロック図である。
【図２】本実施形態の切替制御システムの動作例を示すフローチャートである。
【図３】正常時の出力信号の経路を示す図である。
【図４】他方の処理部に切り替えられたときの出力信号の経路を示す図である。
【図５】予備系の処理装置に切り替えられたときの出力信号の経路を示す図である。
【図６】映像マスタースイッチャー制御システムの一例を示すブロック図である。
【符号の説明】
【００４８】
１１，１２    処理装置
１３    切替装置
１４    制御回路
１５    マトリクス（ＭＴＸ）装置
１６，１７    処理部
１８    制御装置
【図１】
2009177582.tif 000003
【図２】
2009177582.tif 000004
【図３】
2009177582.tif 000005
【図４】
2009177582.tif 000006
【図５】
2009177582.tif 000007
【図６】
2009177582.tif 000008